(57)【要約】【課題】ネジ式の端子に対して安定的に接続することができ、かつ、作業性が良く、構造がシンプルなクリップを提供する。【解決手段】電気的接続に使用されるクリップＡであって、回動可能に結合された一対のクリップ片１０、２０と、前記一対のクリップ片１０、２０を閉じ方向に付勢するバネ４１と、を備える。前記一対のクリップ片１０、２０は、閉じたときに互いに対向するように設けられた先端部１１、２１を備える。また、前記先端部１１、２１は、閉じた状態で互いに接触しないように構成されている。【選択図】図１
2018160441.tif 000002
【特許請求の範囲】
【請求項１】
電気的接続に使用されるクリップであって、
回動可能に結合された一対のクリップ片と、
前記一対のクリップ片を閉じ方向に付勢するバネと、
を備え、
前記一対のクリップ片は、閉じたときに互いに対向するように設けられた先端部を備え、
前記先端部は、閉じた状態で互いに接触しないように構成されていることを特徴とする、クリップ。
【請求項２】
前記先端部には、互いに対向する位置に略コ字形の切欠き形状が設けられていることを特徴とする、請求項１記載のクリップ。
【請求項３】
前記一対のクリップ片は、前記先端部の奥に前記先端部と略平行に設けられた突き当て部を備えることを特徴とする、請求項１又は２記載のクリップ。
【請求項４】
前記一対のクリップ片の側部には、互いに噛合する鋸刃状の係合部が設けられていることを特徴とする、請求項１〜３のいずれか１項に記載のクリップ。
【発明の詳細な説明】
【技術分野】
【０００１】
この発明は、電気的接続に使用されるクリップに関する。
【背景技術】
【０００２】
従来、ネジによってリード線を接続する端子台が広く使用されている。こうした端子台の端子に測定器を接続して検査を行う場合には、例えば、測定器のリード線にワニ口クリップを接続し、このワニ口クリップによってネジの頭部などを挟み込む方法が取られていた。
【０００３】
しかし、ネジの頭部は滑りやすいため、ワニ口クリップが容易に外れてしまい、安定した接続を得ることが難しいという問題があった。
【０００４】
このような問題を解決するために、例えば特許文献１記載には、第１クリップ片と第２クリップ片とバネと結合片とを有し、第１クリップ片および第２クリップ片は互いに一端が開閉するよう中間部で回転可能に結合し、バネは第１クリップ片および第２クリップ片を互いに一端が閉じるよう付勢して設けられ、結合片は導電性を有し第１クリップ片の幅より細く第１クリップ片の第２クリップ片と対向する側に第１クリップ片の幅内で設けられ一端より突出した構造が開示されている。このような構造のクリップを使用することで、ネジ式の端子台であっても安定した状態で電気的に接続可能なクリップを提供できるとされている。
【先行技術文献】
【特許文献】
【０００５】
【特許文献１】特開２００５−２９４０７１号公報
【発明の概要】
【発明が解決しようとする課題】
【０００６】
しかし、上記した特許文献１記載の構造は、端子の側面とネジとの両方を挟み込むようにクリップを取り付けるため、作業性が悪いという問題があった。また、クリップの構造が複雑になり、製造コストが上昇するという問題があった。また、上記した特許文献１記載の構造は、電線接続状態にある端子ネジの頭部を掴むことに特化しておらず、電線に干渉するおそれがあった。
【０００７】
そこで、本発明は、ネジ式の端子に対して安定的に接続することができ、かつ、作業性が良く、構造がシンプルなクリップを提供することを課題とする。
【課題を解決するための手段】
【０００８】
本発明は、上記した課題を解決するためになされたものであり、以下を特徴とする。
請求項１記載の発明は、電気的接続に使用されるクリップであって、回動可能に結合された一対のクリップ片と、前記一対のクリップ片を閉じ方向に付勢するバネと、を備え、前記一対のクリップ片は、閉じたときに互いに対向するように設けられた先端部を備え、前記先端部は、閉じた状態で互いに接触しないように構成されていることを特徴とする。
【０００９】
請求項２に記載の発明は、上記した請求項１に記載の発明の特徴点に加え、前記先端部には、互いに対向する位置に略コ字形の切欠き形状が設けられていることを特徴とする。
【００１０】
請求項３に記載の発明は、上記した請求項１又は２に記載の発明の特徴点に加え、前記一対のクリップ片は、前記先端部の奥に前記先端部と略平行に設けられた突き当て部を備えることを特徴とする。
【００１１】
請求項４に記載の発明は、上記した請求項１〜３のいずれかに記載の発明の特徴点に加え、前記一対のクリップ片の側部には、互いに噛合する鋸刃状の係合部が設けられていることを特徴とする。
【発明の効果】
【００１２】
請求項１に記載の発明は上記の通りであり、一対のクリップ片は、閉じたときに互いに対向するように設けられた先端部を備える。このような構成によれば、クリップ片の先端部でネジの頭部の下方を挟み込むことで、ネジの頭部を覆うように保持できるので、クリップがネジの頭部を滑って外れることがない。また、先端部がネジの頭部の下面に係合するので、クリップを引っ張る方向に力が加わっても、クリップが抜け落ちない。よって、クリップをネジに対して安定的に接続することができる。
【００１３】
また、先端部は、閉じた状態で互いに接触しないように構成されているため、クリップを少し摘むだけで、クリップの先端を大きく開くことができる。よって、作業性が良く、ネジを保持するのに最適なクリップを提供することができる。そして、構造がシンプルであるので、製造コストも抑制することができる。
【００１４】
また、請求項２に記載の発明は上記の通りであり、先端部には、互いに対向する位置に略コ字形の切欠き形状が設けられている。このような構成によれば、対向する切欠き形状によってネジの保持力を向上させることができる。
【００１５】
また、請求項３に記載の発明は上記の通りであり、一対のクリップ片は、先端部の奥に先端部と略平行に設けられた突き当て部を備える。このような構成によれば、クリップ片の先端部でネジの頭部の下方を挟み込んだときに、ネジの頭部の上面が突き当て部に臨む。このため、クリップを傾けるような力が働いたときに、ネジの頭部が突き当て部に干渉し、クリップの傾きを抑制することができる。すなわち、クリップが傾いて外れることを抑制することができる。
【００１６】
また、請求項４に記載の発明は上記の通りであり、一対のクリップ片の側部には、互いに噛合する鋸刃状の係合部が設けられている。このような構成によれば、鋸刃状の係合部を使用してリード線を挟み込むことができる。すなわち、ネジを掴む用途だけではなく、リード線を掴む用途にも使用することができるので、１つのクリップで様々な状況に対応することができる。
【図面の簡単な説明】
【００１７】
【図１】（ａ）クリップの外観斜視図、（ｂ）カバーを取り外したクリップの外観斜視図である。
【図２】（ａ）クリップの平面図、（ｂ）クリップの側面図である。
【図３】（ａ）クリップのＢ−Ｂ線断面図、（ｂ）（ａ）の一部拡大図である。
【図４】クリップでネジの頭部を保持した状態を示す外観図である。
【図５】クリップでネジの頭部を保持した状態を示す断面図である。
【図６】クリップでリード線を保持した状態を示す外観図である。
【発明を実施するための形態】
【００１８】
本発明の実施形態について、図を参照しながら説明する。
本実施形態に係るクリップＡは、電気的接続に使用されるものであり、特にネジ４５の頭部４５ａを保持するのに適したクリップＡである。このクリップＡは、図１（ａ）に示すように、クリップ本体と、クリップ本体に外装されるカバー３０と、を備える。
【００１９】
クリップ本体は、図１（ｂ）に示すように、第１クリップ片１０と、第２クリップ片２０と、回動軸４０と、バネ４１と、を備える。第１クリップ片１０及び第２クリップ片２０は、回動軸４０によって回動可能に結合されており、バネ４１によって互いに閉じ方向に付勢されている。
【００２０】
第１クリップ片１０は、導電性の板金を加工して形成された部材であり、図１〜３に示すように、基板部１６と、先端部１１と、突き当て部１２と、保持片１３と、側壁１４と、を備える。
【００２１】
基板部１６は、回動軸４０と平行な面を有する略長方形の板状の部位である。この基板部１６の後部には、クリップＡを開く際に指で操作される操作部１５が設けられている。
【００２２】
先端部１１は、基板部１６の先端を側面視Ｌ字形に屈折させて形成される部位である。この先端部１１には、図１に示すように、中央に略コ字形の切欠き形状１１ａが設けられている。
【００２３】
突き当て部１２は、クリップＡでネジ４５を保持しているときに、クリップＡの傾きを抑制するためのものであり、先端部１１の奥に先端部１１と略平行に設けられている。先端部１１から突き当て部１２までの距離は、端子台４６に使用されるネジ４５の頭部４５ａの高さを基準に設定される。例えば、ネジ４５の頭部４５ａの高さが２ｍｍであれば、先端部１１から突き当て部１２までの距離は２ｍｍ以上に設定される（例えば３．５ｍｍに設定される）。先端部１１から突き当て部１２までの距離は、あまり大きく設定するとクリップＡの傾きを抑制できないため、５ｍｍ以下であることが望ましく、４ｍｍ以下であることが更に望ましい。
【００２４】
保持片１３は、突き当て部１２が動かないように固定するためのものであり、突き当て部１２の両側に設けられている。この保持片１３の先端には、図３（ｂ）に示すように、二股状に形成された保持部１３ａが設けられており、この保持部１３ａで突き当て部１２を保持するようになっている。
【００２５】
側壁１４は、基板部１６の両側を正面視Ｌ字形に屈折させて形成される部位である。この側壁１４は、先端側から順に、短壁１４ａ、係合部１４ｂ、結合部１４ｃを形成している。
【００２６】
短壁１４ａは、先端部１１に連続するように設けられた部位であり、他の箇所よりも短く形成されている。このため、クリップＡを閉じた状態において、後述する第２クリップ片２０の短壁２４ａと間隙を設けて対向するようになっている。
【００２７】
係合部１４ｂは、短壁１４ａと結合部１４ｃとの間に設けられた部位である。この係合部１４ｂは、リード線４２を掴むために、端面が鋸刃状に形成されている。この係合部１４ｂは、クリップＡを閉じた状態において、後述する第２クリップ片２０の係合部２４ｂと噛合するようになっている。
【００２８】
結合部１４ｃは、回動軸４０を取り付けるための部位である。この結合部１４ｃは、係合部１４ｂよりも突出して設けられており、後述する第２クリップ片２０の結合部２４ｃと重なり合うようになっている。
【００２９】
第２クリップ片２０は、導電性の板金を加工して形成された部材であり、図１〜３に示すように、基板部２６と、先端部２１と、突き当て部２２と、保持片２３と、側壁２４と、を備える。
【００３０】
基板部２６は、回動軸４０と平行な面を有する略長方形の板状の部位である。この基板部２６の後部には、クリップＡを開く際に指で操作される操作部２５が設けられている。また、操作部２５よりも更に後方には、リード線４２を接続するための結線部２７が設けられている。
【００３１】
先端部２１は、基板部２６の先端を側面視Ｌ字形に屈折させて形成される部位である。この先端部２１には、第１クリップ片１０の先端部１１と同様に、略コ字形の切欠き形状２１ａが設けられている。
【００３２】
突き当て部２２は、クリップＡでネジ４５を保持しているときに、クリップＡの傾きを抑制するためのものであり、先端部２１の奥に先端部２１と略平行に設けられている。先端部２１から突き当て部２２までの距離は、第１クリップ片１０と同様に設定されている。
【００３３】
保持片２３は、突き当て部２２が動かないように固定するためのものであり、突き当て部２２の両側に設けられている。この保持片２３の先端には、図３（ｂ）に示すように、二股状に形成された保持部２３ａが設けられており、この保持部２３ａで突き当て部１２を保持するようになっている。
【００３４】
側壁２４は、基板部２６の両側を正面視Ｌ字形に屈折させて形成される部位である。この側壁２４は、先端側から順に、短壁２４ａ、係合部２４ｂ、結合部２４ｃを形成している。
【００３５】
短壁２４ａは、先端部２１に連続するように設けられた部位であり、第１クリップ片１０の短壁１４ａと同様に、他の箇所よりも短く形成されている。
【００３６】
係合部２４ｂは、短壁２４ａと結合部２４ｃとの間に設けられた部位である。この係合部２４ｂは、第１クリップ片１０の係合部１４ｂと同様に、リード線４２を掴むために、端面が鋸刃状に形成されている。
【００３７】
結合部２４ｃは、回動軸４０を取り付けるための部位である。この結合部２４ｃは、第１クリップ片１０の結合部１４ｃと同様に、係合部２４ｂよりも突出して設けられている。
【００３８】
上記した第１クリップ片１０の先端部１１と、第２クリップ片２０の先端部２１とは、閉じたときに互いに対向するように配置されている。すなわち、図１に示すように、クリップＡを閉じたときに、互いの端面が望むように設けられている。そして、これらのクリップ片１０、２０の先端部１１、２１に形成された切欠き形状１１ａ、２１ａも、互いに対向する位置に同じ大きさで形成されている。
【００３９】
ここで、上記したように、第１クリップ片１０の結合部１４ｃと第２クリップ片２０の結合部２４ｃとは、図３等に示すように重なり合うように配置されており、この重なり合った部分を貫通する回動軸４０によって、一体的に回動可能に結合されている。回動軸４０の周りには、捩りコイルバネ４１が取り付けられており、このバネ４１によって、第１クリップ片１０と第２クリップ片２０とが互いに閉じ方向（互いの先端部１１、２１が接近する方向）に付勢されている。クリップＡを開いて端子などを保持するときには、第１クリップ片１０の操作部１５と第２クリップ片２０の操作部２５とを、指で両側から摘まむ。このような操作により、バネ４１の付勢力に抗してクリップＡを開くことができる。このように開いた先端部１１、２１の間に端子を挿し込んで操作部１５、２５を離せば、バネ４１の力によってクリップＡで端子を保持することができる。
【００４０】
例えば、図４に示すように、ネジ式の端子台４６のネジ４５を保持する場合には、先端部１１、２１の間にネジ４５を挿し込んで保持する。このとき、図５に示すように、先端部１１、２１がネジ４５の頭部４５ａの下面に係合するので、クリップＡが容易には脱落しない。また、切欠き形状１１ａ、２１ａによって保持力が向上するようになっている。
【００４１】
そして、突き当て部１２、２２がネジ４５の頭部４５ａの上面に臨んでいるため、クリップＡが傾こうとすると突き当て部１２、２２とネジ４５の頭部４５ａとが干渉し、クリップＡの傾きが抑制されるようになっている。このため、クリップＡが傾いてネジ４５から外れてしまうことも防止される。
【００４２】
なお、突き当て部１２、２２は、図３に示すように、先端部１１、２１よりも長く内側に突出している。このため、クリップＡを開いて先端部１１、２１の間にネジ４５の頭部４５ａを挿し込むときに、このネジ４５の頭部４５ａが突き当て部１２、２２に突き当たり、それ以上奥にはいけないようになっている。よって、クリップＡでネジ４５を保持するときに、奥まで挿し込み過ぎることがないので、操作性が良く、また、安定的にネジ４５を保持することができる。
【００４３】
また、図４に示すように、電線接続状態にあるネジ４５の頭部４５ａを掴んだとしても、電線に干渉しないので、電線接続の有無に関わらず安定的に接続することができる。
【００４４】
また、本実施形態においては、図１等に示すように、クリップＡを閉じたとしても、互いの先端部１１、２１が接触しないように形成されており、第１クリップ片１０の先端部１１と第２クリップ片２０の先端部２１との間には隙間が生じるようになっている。このように構成することで、小さい操作量でクリップＡの先端を大きく開くことができるので、ネジ４５を掴む際の作業性が向上するようになっている。
【００４５】
なお、本実施形態に係るクリップＡは、互いの先端部１１、２１が接触しないため、先端部１１、２１で細い線材などを掴むことはできない。しかしながら、図６に示すように、クリップＡを閉じたときに、第１クリップ片１０の側部に設けられた係合部１４ｂと、第２クリップ片２０の側部に設けられた係合部２４ｂとが、互いに噛合するようになっている。このため、これらの係合部１４ｂ、２４ｂを使用して、リード線４２などの細い径のものも掴めるように構成されている。
【００４６】
ところで、このクリップＡは、導電性のクリップ本体を非導電性のカバー３０で覆うことで、人体への感電を防止している。カバー３０は、回動軸４０付近を覆う中間保護部３１と、中間保護部３１よりも後方で第１クリップ片１０を覆う第１脚部３２と、中間保護部３１よりも後方で第２クリップ片２０を覆う第２脚部３３と、を備えている。なお、第２脚部３３の後端部は、図５に示すように、第２クリップ片２０に結線されたリード線４２を通すために開口部３３ａとなっている。また、この開口部３３ａに連続するように、第１脚部３２と第２脚部３３との間の内側には、連続する１本のスリット３４が形成されている。このスリット３４は、クリップ本体にカバー３０を取り付けるためのものであり、スリット３４からカバー３０の内部にクリップ本体を挿入できるようになっている。このような構成によれば、第２クリップ片２０にリード線４２を結線した状態であっても、クリップ本体の前方からカバー３０を取り付けることができる。
【００４７】
以上説明したように、本実施形態によれば、一対のクリップ片１０、２０は、閉じたときに互いに対向するように設けられた先端部１１、２１を備える。このような構成によれば、クリップ片１０、２０の先端部１１、２１でネジ４５の頭部４５ａの下方を挟み込むことで、ネジ４５の頭部４５ａを覆うように保持できるので、クリップＡがネジ４５の頭部４５ａを滑って外れることがない。また、先端部１１、２１がクリップＡの下面に係合するので、クリップＡを引っ張る方向に力が加わっても、クリップＡが抜け落ちない。よって、クリップＡをネジ４５に対して安定的に接続することができる。
【００４８】
また、先端部１１、２１は、閉じた状態で互いに接触しないように構成されているため、クリップＡを少し摘むだけで、クリップＡの先端を大きく開くことができる。よって、作業性が良く、ネジ４５を保持するのに最適なクリップＡを提供することができる。そして、構造がシンプルであるので、製造コストも抑制することができる。
【００４９】
また、先端部１１、２１には、互いに対向する位置に略コ字形の切欠き形状１１ａ、２１ａが設けられている。このような構成によれば、対向する切欠き形状１１ａ、２１ａによってネジ４５の保持力を向上させることができる。
【００５０】
また、一対のクリップ片１０、２０は、先端部１１、２１の奥に先端部１１、２１と略平行に設けられた突き当て部１２、２２を備える。このような構成によれば、クリップ片１０、２０の先端部１１、２１でネジ４５の頭部４５ａの下方を挟み込んだときに、ネジ４５の頭部４５ａの上面が突き当て部１２、２２に臨む。このため、クリップＡを傾けるような力が働いたときに、ネジ４５の頭部４５ａが突き当て部１２、２２に干渉し、クリップＡの傾きを抑制することができる。すなわち、クリップＡが傾いて外れることを抑制することができる。
【００５１】
また、一対のクリップ片１０、２０の側部には、互いに噛合する鋸刃状の係合部１４ｂ、２４ｂが設けられている。このような構成によれば、鋸刃状の係合部１４ｂ、２４ｂを使用してリード線４２を挟み込むことができる。すなわち、ネジ４５を掴む用途だけではなく、リード線４２を掴む用途にも使用することができるので、１つのクリップＡで様々な状況に対応することができる。
【符号の説明】
【００５２】
Ａ  クリップ
１０  第１クリップ片
１１  先端部
１１ａ  切欠き形状
１２  突き当て部
１３  保持片
１３ａ  保持部
１４  側壁
１４ａ  短壁
１４ｂ  係合部
１４ｃ  結合部
１５  操作部
１６  基板部
２０  第２クリップ片
２１  先端部
２１ａ  切欠き形状
２２  突き当て部
２３  保持片
２３ａ  保持部
２４  側壁
２４ａ  短壁
２４ｂ  係合部
２４ｃ  結合部
２５  操作部
２６  基板部
２７  結線部
３０  カバー
３１  中間保護部
３２  第１脚部
３３  第２脚部
３３ａ  開口部
３４  スリット
４０  回動軸
４１  バネ
４２  リード線
４５  ネジ
４５ａ  頭部
４５ｂ  軸部
４６  端子台
【図１】
2018160441.tif 000003
【図２】
2018160441.tif 000004
【図３】
2018160441.tif 000005
【図４】
2018160441.tif 000006
【図５】
2018160441.tif 000007
【図６】
2018160441.tif 000008